(57)【要約】【課題】本発明は、払出口から払い出されたメダルを遊技者の手に依らずに投入口に投入すること、又は払い出されたメダルを遊技者の手により投入口に投入することのいずれかを選択することができる。【解決手段】本発明は、メダル３０を投入口５３に投入することで遊技を行う所定の遊技機１０で、投入金額に応じた遊技を行うための価値を有するメダル３０を払出口５２から払い出して遊技者に貸し出す遊技媒体貸出機２０であって、払出口５２から払い出されたメダル３０を遊技者に視認及び取出可能に保持する第１状態と、払出口５２から払い出されたメダル３０を投入口５３に誘導する第２状態とを選択的に切り換えるメダル払出投入部４０を有する。【選択図】      図３
2005006670.tif 000002
【特許請求の範囲】
【請求項１】
遊技媒体を投入口に投入することで遊技を行う所定の遊技機で、投入金額に応じた遊技を行うための価値を有する遊技媒体を払出口から払い出して遊技者に貸し出す遊技媒体貸出機であって、
前記払出口から払い出された前記遊技媒体を遊技者に視認及び取出可能に保持する第１状態と、前記払出口から払い出された前記遊技媒体を前記投入口に誘導する第２状態とを選択的に切り換える経路切換手段を有することを特徴とする遊技媒体貸出機。
【請求項２】
前記経路切換手段は、所要の間隔を設けて一の面から立設された互いに対向する一対の側板と、
前記一対の側板の内側には前記払出口と前記投入口とが配設され、前記一対の側板の間には前記払出口から払い出された前記遊技媒体を遊技者に視認及び取出可能に支持する遊技媒体支持部と、
前記遊技媒体支持部の傾斜角を調整可能に、前記遊技媒体支持部を前記一対の側板の間に固定する固定部とを備え、
前記遊技媒体支持部は、前記固定部で固定された前記遊技媒体支持部の傾斜角を調整することにより、前記払出口から払い出された前記遊技媒体を支持し、又は前記払出口から払い出された前記遊技媒体を前記投入口に誘導する経路を形成することのいずれか一方に選択可能であることを特徴とする請求項１に記載の遊技媒体貸出機。
【発明の詳細な説明】
【０００１】
【発明の属する技術分野】
本発明は、遊技媒体を投入口に投入することで遊技を行う所定の遊技機で、投入金額に応じた遊技を行うための価値を有する遊技媒体を払出口から払い出して遊技者に貸し出す遊技媒体貸出機に関する。
【０００２】
【従来の技術】
従来より、メダルゲーム機を含む遊技機は、遊技機に関する仕様を定めた法令により、遊技機に直接紙幣を投入できるようにし、この投入された紙幣により遊技を行えるようにしてはいけないことになっている。このため、遊技者は、遊技機を利用する際には、遊技機とは別に設けられた遊技媒体貸出機から紙幣の額に応じた遊技媒体に一旦交換し、交換した遊技媒体を用いる必要がある。
【０００３】
この遊技媒体貸出機は、紙幣や硬貨等を受付口から受け付けることにより、遊技媒体（例えば、メダル）の貸し出しを行うものである（例えば、特許文献１参照）。従来の遊技機の中には、遊技者の利便性を向上させるため、遊技媒体貸出機を遊技機の側面に取り付けたものがある。
【０００４】
上述したような遊技媒体貸出機付き遊技機においては、先ず、遊技媒体貸出機に紙幣が投入されると、その紙幣の額に応じた遊技媒体（例えば、メダル）が払い出される。そして、その遊技媒体が遊技機に投入されると、遊技者は、投入された遊技媒体の価値に応じてゲームを行うことができる。
【０００５】
【特許文献１】
特開２００２−１４３５３９号公報（第２−４頁、第１図）
【０００６】
【発明が解決しようとする課題】
しかしながら、遊技機の扱いを熟知している遊技者は、払出口から払い出された遊技媒体を投入口に投入しなければならないため、遊技機における遊技を行うまでの流れが煩わしいと感じていた。また、上記遊技者は、払い出された遊技媒体を投入口に投入しなければならないため、即座に遊技に集中することができない。
【０００７】
一方、初めて遊技場に訪れた遊技者や、遊技機の扱いを熟知していない遊技者が、払出口から払い出された遊技媒体を投入口に投入する行為は、その遊技者にとって新鮮な行為であり、これからスリルと興奮を味わえるという気持ちを高めることができる。
【０００８】
そこで、本発明は以上の点に鑑みてなされたものであり、払出口から払い出された遊技媒体を遊技者の手に依らずに投入口に投入すること、又は払い出された遊技媒体を遊技者の手により投入口に投入することのいずれかを選択することのできる遊技媒体貸出機を提供することを課題とする。
【０００９】
【課題を解決するための手段】
本願に係る発明は、上記課題を解決するために、遊技媒体（例えば、メダル３０、遊技球）を投入口（例えば、投入口５３）に投入することで遊技を行う所定の遊技機で、投入金額に応じた遊技を行うための価値を有する遊技媒体を払出口（例えば、払出口５２）から払い出して遊技者に貸し出す遊技媒体貸出機であって、払出口から払い出された遊技媒体を遊技者に視認及び取出可能に保持する第１状態と、払出口から払い出された遊技媒体を投入口に誘導する第２状態とを選択的に切り換える経路切換手段（例えば、メダル払出投入部４０）を有することを特徴とする。
【００１０】
すなわち、本願に係る発明は、所要の間隔を設けて一の面（例えば、面５１）から立設された互いに対向する一対の側板（例えば、側板４１ａ，４１ｂ）と、一対の側板の内側には払出口と投入口とが配設され、一対の側板の間には払出口から払い出された遊技媒体を遊技者に視認及び取出可能に支持する遊技媒体支持部（例えば、メダル支持部４４）と、遊技媒体支持部の傾斜角を調整可能に、遊技媒体支持部を一対の側板の間に固定する固定部（例えば、固定部４５ａ，４５ｂ，４５ｃ）とを備え、遊技媒体支持部が、固定部で固定された遊技媒体支持部の傾斜角を調整することにより、払出口から払い出された遊技媒体を支持し、又は払出口から払い出された遊技媒体を投入口に誘導する経路を形成することのいずれか一方に選択可能であることを特徴とするものである。
【００１１】
このような本願に係る発明によれば、遊技媒体貸出機は、払い出された遊技媒体を遊技者に視認及び取出可能に保持する第１状態と、払い出された遊技媒体を遊技機にある投入口（例えば、投入口５３）に誘導する第２状態とを選択的に切り換えることができる。
【００１２】
この結果、遊技媒体支持部で遊技媒体が支持されている場合には、初めて遊技場に訪れた遊技者や、遊技機の扱いを熟知していない遊技者は、遊技媒体支持部で支持されている遊技媒体を投入口に投入することができるため、これからスリルと興奮を味わえるという気持ちを高めることができる。
【００１３】
一方、遊技媒体支持部が、払出口から払い出された遊技媒体を投入口に誘導する経路を形成する場合には、遊技者（特に、遊技機の扱いを熟知している遊技者）は、遊技媒体の投入の煩わしさが無くなる。また、遊技者は、上記煩わしさが無くなるため、即座に遊技に集中することができる。
【００１４】
なお、上記発明においては、側板には円弧状に開口された穴部（例えば、穴部４８ｂ）が配設され、遊技媒体支持部の一端が回動可能に支持されており、遊技媒体支持部の他端には、穴部の形状に沿って遊技媒体支持部４４の傾斜角（回動角）を側板の外側から調整可能にする突起部（例えば、突起部４８ａ）を備えてもよい。
【００１５】
この場合には、突起部が、穴部の形状に沿って遊技媒体支持部４４の傾斜角（回動角）を側板の外側から調整可能にするため、遊技者は、その突起部を特定の方向に移動させることにより、払出口から払い出された遊技媒体を遊技媒体支持部で支持可能にすること、又は払出口から払い出された遊技媒体を遊技媒体支持部で投入口へと誘導可能にすることのいずれか一方を自らの意思で選択することができる。
【００１６】
なお、上記発明においては、遊技媒体支持部の一端が回動可能に支持されており、遊技者からの選択操作に対応した傾斜角となるように遊技媒体支持部の一端を回動させる駆動制御部（例えば、駆動制御部６０）を備えてもよい。この場合には、駆動制御部が、遊技者からの選択操作に対応した傾斜角になるように遊技媒体支持部の一端を回動させるため、遊技者は、払出口から払い出された遊技媒体を遊技媒体支持部で支持可能にすること、又は払出口から払い出された遊技媒体を遊技媒体支持部で投入口へと誘導可能にすることのいずれか一方をより簡単な操作で選択することができる。
【００１７】
【発明の実施の形態】
（遊技媒体貸出機の基本構成）
本発明に係る遊技媒体貸出機２０について図面を参照しながら説明する。図１は、遊技機１０と遊技媒体貸出機２０との一例を示す正面図である。
【００１８】
本実施形態に係る遊技機１０は、遊技媒体であるメダル３０の投入を投入口５３（後述する図２を参照）により受け付け、遊技者がスタートレバー１０ｂを叩いたときに各リール１０ａを回転させる。遊技機１０は、各リール１０ａの回転が停止ボタン１０ｃの押圧操作で個別に停止され、各リール１０ａに付された絵柄が予め定められた特定の態様となった場合に、所定の遊技価値を付与する。この遊技機１０は、例えば、遊技場に配置されているゲーム機、回胴式遊技機（例えば、スロットマシン）等が挙げられる。
【００１９】
ここで、遊技価値の付与は、所定のメダルを払い出すこと又は所定の枚数のメダルに相当する大きさを付与することを意味する。なお、本実施形態における遊技媒体には、例えば、メダル３０、遊技球等が含まれる。本実施形態に係る遊技媒体は、メダル３０を用いるものとする。
【００２０】
この遊技機１０は、前面が開口した矩形を呈するボックス状の本体と、その前面に垂直軸周りに回動可能に設けられた前扉とからなり、前扉を開けることにより本体内部にある各機器の点検又は修理等をすることができる。この本体の内部には、三つのリール、各種の記憶・演算・制御等を行う制御部等（いずれも図示せず）が組み込まれている。
【００２１】
図２は、遊技媒体貸出機２０の一例を示す斜視図である。本実施形態に係る遊技媒体貸出機２０は、メダル３０を投入口５３に投入することで遊技を行う所定の遊技機１０で、投入金額に応じた遊技を行うための価値を有するメダル３０を払出口５２から払い出して遊技者に貸し出すものである。
【００２２】
すなわち、遊技媒体貸出機２０は、有価価値の大きさを特定可能な有価価値媒体を受け付け、受け付けた有価価値媒体から特定される有価価値の大きさを識別し、遊技情報をメダル３０に記憶させて、遊技情報が記憶されたメダル３０を払い出し、又は払い出したメダル３０の投入を受け付けるものである。
【００２３】
ここで、遊技情報には、メダル３０が使用可能な遊技場のＩＤ等が含まれる。なお、メダル３０は、遊技情報が記憶されているものに限定されるものではなく、遊技情報が記憶されていないものであってもよい。
【００２４】
具体的には、遊技媒体貸出機２０が有価価値媒体として現金を受け付けた場合には、遊技媒体貸出機２０は、受け付けた現金から特定される有価価値の大きさである現金の金額（例えば、千円）に応じたメダル３０を払い出す。
【００２５】
遊技媒体貸出機２０は、払い出されたメダル３０の投入を受け付けると、そのメダル３０に記憶されている遊技情報を読み出す。遊技機１０は、遊技媒体貸出機２０が読み出した遊技情報に基づいて遊技者による遊技を可能にする。
【００２６】
後述する一対の側板４１ａ，４１ｂの間にある面５１（遊技媒体貸出機２０の正面側の面）には、図２に示すように、払出口５２と投入口５３とが配設されている。この投入口５３は、本実施形態では、払出口５２の長手方向（上下方向）に沿って配設されている。
【００２７】
払出口５２は、メダル３０を払い出すものである。投入口５３は、払い出されたメダル３０の投入を受け付けるものである。払出口５２及び投入口５３は、その背後に於いてメダル払出処理機５０と連通している。
遊技媒体貸出機２０の内部には、メダル払出処理機５０、紙幣処理機５５、これらを制御する制御部等が組み込まれている。メダル払出処理機５０は、現金が挿入されると、遊技情報をメダル３０に記憶させて、そのメダル３０を払い出すものである。
【００２８】
紙幣処理機５５は、現金である紙幣（例えば、千円紙幣）を受け付ける処理を行うものである。この紙幣処理機５５には、紙幣の挿入を受け付ける紙幣挿入口５４、受け付けた紙幣が正規の紙幣か否かを識別する識別機等が備えられている。なお、紙幣処理機５５は、紙幣を受け付け、必要に応じて釣銭を払い出すものであってもよい。
【００２９】
この遊技媒体貸出機２０では、紙幣挿入口５４から紙幣が挿入された場合には、紙幣処理機５５が挿入された紙幣を識別する。例えば、制御部は、紙幣処理機５５で紙幣の価値の大きさ等を識別する。また、硬貨の場合も同様である。メダル払出処理機５０は、制御部で遊技情報が記憶され、且つ挿入された金額に応じたメダル３０を払い出す。
【００３０】
遊技媒体貸出機２０の面５１にはメダル払出投入部４０が配設されている。図３（ａ）は、メダル３０を投入する方向から見たメダル払出投入部４０の断面図である。図３（ｂ）は、メダル払出投入部４０の側面を示す側面図である。このメダル払出投入部４０は、払出口５２から払い出されたメダル３０を遊技者に視認及び取出可能に保持する第１状態と、払出口５２から払い出されたメダル３０を投入口５３に誘導する第２状態とを選択的に切り換える経路切換手段である。
【００３１】
このメダル払出投入部４０は、一対の側板４１ａ，４１ｂと、間隔保持部材４２，４６と、メダル支持部４４と、固定部４３ａ，４３ｂ，４５ａ，４５ｂ，４７ａ，４７ｂとを備える。なお、一対の側板４１ａ，４１ｂの間にある面５１には、上記の如く、払出口５２と払出口５２の長手方向に沿って投入口５３とが一列に配設されている。
【００３２】
一対の側板４１ａ，４１ｂは、所要の間隔を設けて一の面５１（遊技媒体貸出機２０の正面側にある面）から立設された互いに対向する一対の板である。間隔保持部材４２，４６は、一対の側板４１ａ，４１ｂの間隔を一定に保持する部材である。この間隔保持部材４２は、メダル払出投入部４０の上方に配設され、固定部４３ａ，４３ｂで固定されている。この間隔保持部材４２は、図３（ｂ）に示すように、払出口５２からメダル３０が払い出される方向ｄ１に沿って配設されている。
【００３３】
一方、間隔保持部材４６は、メダル払出投入部４０の下方に配設され、固定部４７ａ，４７ｂで固定されている。この間隔保持部材４６は、図３（ｂ）に示すように、払出口５２から払い出されたメダル３０を投入口５３へと誘導する方向ｄ２に沿って配設されている。
【００３４】
メダル支持部４４は、一対の側板４１ａ，４１ｂの間に配設され、払出口５２から払い出されたメダル３０を遊技者に視認及び取出可能に支持する遊技媒体支持部である。なお、一対の側板４１ａ，４１ｂは、図３（ｂ）に示すように、メダル支持部４４でメダル３０が支持されているときは、支持されたメダル３０が遊技者により視認及び取出可能な形状で形成されていることが好ましい。
【００３５】
後述するように、メダル支持部４４は、固定部４５ａ，４５ｂで固定されたメダル支持部４４の傾斜角を調整することにより、払出口５２から払い出されたメダル３０を支持し、又は払出口５２から払い出されたメダル３０を投入口５３に誘導する経路を形成することのいずれか一方に選択可能である。
【００３６】
固定部４５ａ，４５ｂ，４５ｃは、メダル支持部４４の傾斜角θを調整可能に、メダル支持部４４を一対の側板４１ａ，４１ｂの間に固定するものである。この固定部４５ａは、図３（ｂ）に示すように、メダル支持部４４の一端を回動可能に支持する。
【００３７】
この固定部４５ａは、間隔保持部材４２と間隔保持部材４６との中間、又は払出口５２と投入口５３との中間にメダル支持部４４の一端を固定する。一方、固定部４５ｂ，４５ｃは、後述する第１状態又は第２状態のいずれか一方の状態が保たれるような傾斜角θで、メダル支持部４４の他端を固定する。この固定部４５ｂ，４５ｃは、本実施形態では、一対の側板４１ａ，４１ｂの間に、メダル支持部４４をネジで固定可能な構成となっている。
【００３８】
ここで、本実施形態に係る傾斜角θは、図３（ｂ）に示すように、二つの固定部４５ａ，４５ｂを結ぶ線分と水平線との間で成す角度（例えば、θ１，θ２）を意味する。メダル支持部４４が傾斜角θ１となるように固定部４５ａ，４５ｂで固定された場合には、メダル支持部４４は、払出口５２から払い出されたメダル３０を支持する（第１状態）。この際、メダル支持部４４は、払出口５２から払い出されたメダル３０を遊技者に視認又は取出可能に支持するのが好ましい。
【００３９】
一方、メダル支持部４４が傾斜角θ２となるように固定部４５ａ，４５ｃで固定された場合には、メダル支持部４４は、払出口５２から払い出されたメダル３０を投入口５３に誘導する経路を形成する（第２状態）。
【００４０】
図４は、第１状態に保持されたメダル支持部４４の周辺構造、メダル払出処理機５０の動作及びそれらの位置関係を示す図である。メダル払出処理機５０の内部には、図４に示すように、メダル３０を保持するディスク５０ａ、ディスク５０ａから転がり落ちたメダル３０を払出口５２までガイドするガイド部材５０ｃ等が組み込まれている。
【００４１】
ディスク５０ａの円周上には、メダル３０を受け入れる受入部５０ｂが設けられている。この受入部５０ｂに受け入れられたメダル３０は、メダル３０を固定する固定部材（図示せず）で固定されている。図４に示すように、ディスク５０ａの回転により、受入部５０ｂに受け入れられたメダル３０（図４中の”▲１▼”のメダル３０）がガイド部材５０ｃの一端近傍に到達すると、そのメダル３０が固定部材から開放される。
【００４２】
そして、固定部材から開放されたメダル３０は、受入部５０ｂから転がり落ちて、ガイド部材５０ｃを介して払出口５２へと移動する（図４中の”▲２▼”のメダル３０）。この払出口５２から払い出されたメダル３０は、メダル支持部４４で支持される（図４中の”▲３▼”のメダル３０）。遊技者は、メダル支持部４４で支持されたメダル３０を指で挟持し、挟持したメダル３０を投入口５３に投入する。
【００４３】
図５は、第２状態に保持されたメダル支持部４４の周辺構造、メダル払出処理機５０の動作及びそれらの位置関係を示す図である。図５に示すように、ディスク５０ａの回転により、受入部５０ｂに受け入れられたメダル３０（図５中の”▲１▼”のメダル３０）がガイド部材５０ｃの一端近傍に到達すると、そのメダル３０が固定部材（図示せず）から開放される。
【００４４】
そして、固定部材から開放されたメダル３０は、受入部５０ｂから転がり落ちて、ガイド部材５０ｃを介して払出口５２へと移動する（図５中の”▲２▼”のメダル３０）。この払出口５２から払い出されたメダル３０は、メダル支持部４４に当接（図５中の”▲３▼”のメダル３０）する。
【００４５】
当接したメダル３０は、間隔保持部材４６がある方向に落下し、間隔保持部材４６を介して投入口５３へと移動する（図５中の”▲４▼”のメダル３０）。この投入口５３に投入されたメダル３０は、受入部５０ｄに受け入れられる（図５中の”▲５▼”のメダル３０）。
【００４６】
受入部５０ｄにメダル３０が受け入れられた場合には、読込部（図示せず）がそのメダル３０に記憶された遊技情報を読み込む。遊技機１０は、読込部で読み込まれた遊技情報を受信し、遊技者からの操作指示により遊技を実行する。
【００４７】
（遊技媒体貸出機による作用及び効果）
このような本願に係る発明によれば、メダル支持部４４は、選択により、払い出されたメダル３０を遊技者に視認及び取出可能に支持し、又は払い出されたメダル３０を投入口５３に誘導する経路を形成することのいずれか一方にすることができる。
【００４８】
この結果、メダル支持部４４でメダル３０が支持されている場合には、初めて遊技場に訪れた遊技者や、遊技機１０の扱いを熟知していない遊技者は、メダル支持部４４で支持されているメダル３０を投入口５３に投入することができるため、これからスリルと興奮を味わえるという気持ちを高めることができる。
【００４９】
一方、メダル支持部４４が、払出口５２から払い出されたメダルを投入口５３に誘導する経路を形成する場合には、遊技者（特に、遊技機１０の扱いを熟知している遊技者）は、メダルの投入の煩わしさが無くなる。また、遊技機１０の扱いを熟知している遊技者は、上記煩わしさが無くなるため、即座に遊技に集中することができる。
【００５０】
（第一変更例）
なお、本発明は上記実施形態に限定されるものではなく、下記に示す変更を加えることができる。図６は、本変更例に係るメダル払出投入部４０の斜視図を示すものである。本変更例は、図６に示すように、固定部４５ｂ，４５ｃに替えて、突起部４８ａと、穴部４８ｂと、固定部４８ｃとを備える。
【００５１】
ここで、固定部４５ａは、メダル支持部４４を回動可能に支持している。したがって、遊技者が固定部４５ａの他端にある突起部４８ａを下方に移動させることにより、遊技者は、メダル支持部４４を第１状態又は第２状態のいずれか一方を選択することができる。本変更例の詳述は下記の通りである。
【００５２】
前記突起部４８ａは、側板４１ａの面に対して垂直方向に突出されており、メダル支持部４４の傾斜角θを側板４１ａの外側から調整可能にする部材である。本実施形態に係る突起部４８ａは、メダル支持部４４の側面から穴部４８ｂを通じて外部に突出されている。穴部４８ｂは、円弧状に形成された穴である。この穴部４８ｂは、その背後に於いて側板４１ａの内側と連通している。
【００５３】
固定部４８ｃは、突起部４８ａを介して調整されたメダル支持部４４の傾斜角を固定するものである。後述するように、固定部４８ｃは、メダル支持部４４を側板４１ａに固定する。この固定部４８ｃは、図７（ａ）に示すように、球４８１ｃと、バネ４８２ｃと、凹部４８３ｃと、受入部４８４ｃとを備える。図７（ａ）は、メダル支持部４４が固定部４８ｃで固定されている状態を示す図である。
【００５４】
前記凹部４８３ｃは、球４８１ｃと、バネ４８２ｃとを収容するものである。本実施形態に係る凹部４８３ｃは、凹部４８３ｃの底の方にあるバネ４８２ｃの上部に球４８１ｃを乗せた状態で、両者を収納する。バネ４８２ｃは、バネ４８２ｃの持つ弾力を利用することにより、球４８１ｃを上下方向に移動させるものである。ここで、下方向は、凹部４８３ｃの底部へ向かう方向を意味する。上方向は、凹部４８３ｃの開口部へ向かう方向を意味する。
【００５５】
受入部４８４ｃは、凹部４８３ｃの開口部と対向する位置に配設され、球４８１ｃを受け入れるものである。具体的に、受入部４８４ｃは、図７（ａ）に示すように、凹部４８３ｃの内側にある球４８１ｃの移動線上に、側板４１ａの内側面に設けられている。一対の凹部４８３ｃ及び受入部４８４ｃは、図６に示すように、本実施形態では、メダル支持部４４の傾斜角θがθ１，θ２を成す線分と、球４８１ｃが円弧状に移動する線との交点Ｐ１，Ｐ２上に配設されている。
【００５６】
図７（ｂ）は、上記交点Ｐ１，Ｐ２以外の点に固定部４８ｃが位置していることを示す図である。すなわち、図７（ｂ）は、メダル支持部４４が固定部４８ｃで固定されていない状態を示す図である。上記図７（ａ）に示すように、球４８１ｃが、バネ４８２ｃの反発力により受入部４８４ｃに受け入れられている場合には、メダル支持部４４は固定された状態となる。この固定されたメダル支持部４４の傾斜角θがθ１である場合には、メダル支持部４４は、払出口５２から払い出されたメダル３０を支持する第１状態となる。
【００５７】
そして、図７（ｂ）に示すように、遊技者が、穴部４８ｂの形状に沿って、突起部４８ａを下方に移動させた場合には、球４８１ｃが、受入部４８４ｃの形状に沿って、凹部４８３ｃの底部の方向に潜り込み、メダル支持部４４が固定された状態から開放される。
【００５８】
その後、遊技者が、穴部４８ｂの形状に沿って、突起部４８ａを更に交点Ｐ２まで移動させた場合には、球４８１ｃが、バネ４８２ｃの反発力により受入部４８４ｃに受け入れられる。球４８１ｃが受入部４８４ｃに受け入れられた場合には、メダル支持部４４は固定された状態となる。この固定されたメダル支持部４４は、払出口５２から払い出されたメダル３０を投入口５３に誘導する経路を形成する第２状態となる。
【００５９】
この場合には、突起部４８ａが、穴部４８ｂの形状に沿ってメダル支持部４４の傾斜角（回動角）を側板４１ａの外側から調整可能にするため、遊技者は、その突起部４８ａを特定の方向に移動させることにより、払出口５２から払い出されたメダル３０をメダル支持部４４で支持可能にすること、又は払出口５２から払い出されたメダル３０をメダル支持部４４で投入口５３へと誘導可能にすることのいずれか一方を自らの意思で選択することができる。
【００６０】
（第二変更例）
なお、本発明は上記実施形態に限定されるものではなく、下記に示す変更を加えることができる。図８は、本変更例に係るメダル払出投入部４０の斜視図を示すものである。本変更例は、図８に示すように、固定部４５ｂ，４５ｃに替えて、駆動制御部６０を備える。
【００６１】
ここで、上記実施形態では、遊技場の管理者等が、メダル支持部４４の傾斜角θを固定部４５ｂ，４５ｃで段階的に調整していたが、本変更例では、駆動制御部６０が、遊技者等からの選択的な操作指示により、メダル支持部４４の傾斜角θを段階的に調整するものである。
【００６２】
前記駆動制御部６０は、図８に示すように、遊技者からの選択操作に対応した傾斜角θになるようにメダル支持部４４の一端を回動させるものである。この駆動制御部６０は、側板４１ｂの側方に配設されている。なお、メダル支持部は、一端がモーターの回転軸に固定されている。
【００６３】
図９は、駆動制御部６０の内部構造を示す図である。駆動制御部６０は、図９に示すように、選択ボタン６１と、選択ボタン６２と、ＣＰＵ６３と、ＲＯＭ６４と、ＲＡＭ６５と、選択可能ランプ６６と、駆動回路６７とを備える。
【００６４】
ＲＯＭ６４は、図１０に示す傾斜角選択テーブルを記憶するものである。この傾斜角選択テーブルは、図１０に示すように、押圧された選択ボタンと、押圧された選択ボタンに対応するメダル支持部４４の傾斜角θとを対応付けたものである。ＲＯＭ６４は、その他、駆動制御部６０を駆動させるためのプログラム等を記憶している。
【００６５】
選択ボタン６１は、メダル支持部４４が第１状態になることを遊技者に選択させるものである。選択ボタン６２は、メダル支持部４４が第２状態になることを遊技者に選択させるものである。これら第１状態及び第２状態については、上記の説明内容と同様であるので、詳細な説明は省略する。
【００６６】
この選択ボタン６１及び選択ボタン６２は、図２に示すように、遊技媒体貸出機２０の前面５１に配設されている。選択可能ランプ６６は、選択ボタン６１及び選択ボタン６２のボタン操作が可能であることを知らせるものである。具体的には、紙幣処理機５５で挿入された紙幣が正規な紙幣であると判断された場合（又は硬貨投入口から投入された硬貨が正規な硬貨であると判断された場合）には、ＣＰＵ６３は、選択可能ランプ６６を点灯させると共に、選択ボタン６１及び選択ボタン６２のボタン操作を受付可能にする。
【００６７】
なお、ＣＰＵ６３は、紙幣が挿入又は硬貨が投入されていない場合に、選択可能ランプ６６を点灯させると共に、選択ボタン６１及び選択ボタン６２のボタン操作を受付可能にしてもよい。
【００６８】
駆動回路６７は、ＣＰＵ６３からの指示に基づいて、遊技者の操作指示に応じた傾斜角θとなるようにメダル支持部４４の一端を回動させるものである。この駆動回路６７はモーターを具備する。このモーターの軸は、図８に示すように、メダル支持部４４の一端を支持する。この駆動回路６７における動作は、次の通りである。
【００６９】
具体的には、ＣＰＵ６３は、先ず、選択ボタン６１及び選択ボタン６２のいずれか一方のボタン操作がなされた場合には、図１０に示す傾斜角選択テーブルを参照し、そのボタン操作がなされた選択ボタンに対応付けられたメダル支持部４４の傾斜角θを特定する。
【００７０】
例えば、遊技者が選択ボタン６１を押圧した場合には、ＣＰＵ６３は、図１０に示す傾斜角選択テーブルを参照し、押圧された選択ボタン６１に対応付けられたメダル支持部４４の傾斜角θ１を特定する。一方、遊技者が選択ボタン６２を押圧した場合には、ＣＰＵ６３は、図１０に示す傾斜角選択テーブルを参照し、押圧された選択ボタン６２に対応付けられたメダル支持部４４の傾斜角θ２を特定する。
【００７１】
この傾斜角θを特定したＣＰＵ６３は、特定した傾斜角θでメダル支持部４４を回動させる回動命令信号を駆動回路６７に出力する。ＣＰＵ６３から回動命令信号が入力された駆動回路６７は、入力された回動命令信号に基づいて、回動命令信号に含まれる傾斜角θになるようにメダル支持部４４の一端を回動させる。
【００７２】
この場合には、駆動制御部６０が、遊技者からの選択操作に対応した傾斜角θ（例えば、θ１，θ２）になるようにメダル支持部の一端を回動させるため、遊技者は、払出口５２から払い出されたメダル３０をメダル支持部４４で支持可能にすること、又は払出口５２から払い出されたメダル３０をメダル支持部４４で投入口５３へと誘導可能にすることのいずれか一方をより簡単な操作で選択することができる。
【００７３】
（第三変更例）
なお、本発明は上記実施形態に限定されるものではなく、下記に示す変更を加えることができる。図１１は、本変更例に係るメダル払出投入部４０を示す斜視図である。図１２は、本変更例に係るメダル払出投入部４０を上方から見たときの図である。
【００７４】
本変更例では、図１１及び図１２に示すように、一対の側板４１ａ，４１ｂには互いに向い合うように開口部４１ｃ，４１ｄがそれぞれに設けられ、各開口部４１ｃ，４１ｄにはメダル支持部４４がスライド可能に挿入されている。メダル支持部４４には、払出口５２から払い出されたメダル３０を遊技者に視認及び取出可能に保持する払出メダル保持部４４ａと、払出口５２から払い出されたメダル３０を投入口５３に誘導する誘導口４４ｂ１，４４ｂ２とが設けられている。なお、図１１においては図面を簡略化するため、誘導口４４ｂ１，４４ｂ２の図示は省略している。図１２に示すように、これら誘導口４４ｂ１，４４ｂ２は、払出メダル保持部４４ａの両側に設けられている。
【００７５】
図１１に示すように、メダル支持部４４の断面は、矢印アで示すような曲線を描く形状となっている。また、側板４１ａ，４１ｂには、メダル支持部４４の断面と同じ形状の開口部４１ｃ，４１ｄが設けられている。これにより、メダル支持部４４を開口部４１ｃ，４１ｄに挿入することにより、側板４１ａ，４１ｂは、当該メダル支持部４４をスライド可能に支持することができる。
【００７６】
また、図１２に示すように、一対の側板４１ａ，４１ｂの間に払出メダル保持部４４ａが位置しているときに、払出口５２から払い出されたメダル３０を払出メダル保持部４４ａ上で静止可能にするガード部４９が設けられている。このガード部４９は、図１１及び図１２に示すように、払出口５２から払い出されたメダル３０がメダル払出投入部４０から飛び出さないような位置関係に設けられている。
【００７７】
これにより、遊技者がメダル３０を手動投入する場合は、当該遊技者は、メダル支持部４４の端部を狭持して、一対の側板４１ａ，４１ｂの間に払出メダル保持部４４ａが位置するようにメダル支持部４４をスライドさせる。この場合、払出口５２から払い出されたメダル３０は、払出メダル保持部４４ａ上を転動して行くが、ガード部４９によって停止させられ、図１１中の矢印アで示す箇所で保持される。これにより、払い出されたメダル３０は遊技者に視認及び取出可能に払出メダル保持部４４ａで保持される。
【００７８】
一方、遊技者がメダル３０を自動投入させたい場合は、メダル支持部４４の端部を狭持して、一対の側板４１ａ，４１ｂの間に誘導口４４ｂ１又は誘導口４４ｂ２が位置するようにメダル支持部４４をスライドさせる。例えば、図１２において、遊技者がメダル支持部４４を同図中の左方向にスライドさせる場合は、一対の側板４１ａ，４１ｂの間に誘導口４４ｂ１を位置させる。また、遊技者がメダル支持部４４を同図中の右方向にスライドさせる場合は、一対の側板４１ａ，４１ｂの間に誘導口４４ｂ２を位置させる。
【００７９】
このように、一対の側板４１ａ，４１ｂの間に誘導口４４ｂ１又は誘導口４４ｂ２が位置するときは、払出口５２から払い出されたメダル３０は、誘導口４４ｂ１又は誘導口４４ｂ２を通じて下方に流下し、投入口５３へと誘導される。
【００８０】
なお、図１２に示すように、本変更例では、メダル支持部４４に２つの誘導口４４ｂ１，４４ｂ２を設けたが、いずれか１つの誘導口のみを設けるようにしてもよい。
【００８１】
（第四変更例）
なお、本発明は上記実施形態に限定されるものではなく、下記に示す変更を加えることができる。図１３は、本変更例に係るメダル払出投入部４０を示す斜視図である。図１４は、本変更例に係るメダル払出投入部４０を上方から見たときの図である。
【００８２】
本変更例では、図１３及び図１４に示すように、一方の側板４１ａには開口部４１ｃが設けられ、開口部４１ｃにはメダル支持部４４が回動可能に軸支されている。メダル支持部４４には、払出口５２から払い出されたメダル３０を遊技者に視認及び取出可能に保持する払出メダル保持部４４ａが設けられている。
【００８３】
図１３に示すように、メダル支持部４４の断面は、矢印アで示すような曲線を描く形状となっている。また、側板４１ａには、メダル支持部４４の断面と同じ形状の開口部４１ｃが設けられている。これにより、遊技者は、メダル支持部４４を回動させることにより、側板４１ａ，４１ｂの間に払出メダル保持部４４ａを位置させたり、又は側板４１ａ，４１ｂの外に払出メダル保持部４４ａを位置させたりすることができる。
【００８４】
また、図１４に示すように、一対の側板４１ａ，４１ｂの間に払出メダル保持部４４ａが位置しているときに、払出口５２から払い出されたメダル３０を払出メダル保持部４４ａ上で静止可能にするガード部材４９が設けられている。
【００８５】
このガード部４９は、図１３及び図１４に示すように、払出口５２から払い出されたメダル３０がメダル払出投入部４０から飛び出さないような位置関係に設けられている。
【００８６】
これにより、遊技者がメダル３０を手動投入する場合は、遊技者は、メダル支持部４４の端部を狭持して、一対の側板４１ａ，４１ｂの間に払出メダル保持部４４ａが位置するようにメダル支持部４４を回動させる。この場合、払出口５２から払い出されたメダル３０は、払出メダル保持部４４ａ上を転動して行くが、ガード部４９によって停止させられ、図１３中の矢印アで示す箇所で保持される。これにより、払い出されたメダル３０は遊技者に視認及び取出可能に払出メダル保持部４４ａで保持される。
【００８７】
一方、遊技者がメダル３０を自動投入させたい場合は、メダル支持部４４の端部を狭持して、一対の側板４１ａ，４１ｂの間に払出メダル保持部４４ａが位置しないようにメダル支持部４４を回動させる。例えば、図１４において、遊技者がメダル支持部４４を同図中の反時計回りに回動させる場合は、一対の側板４１ａ，４１ｂの間に払出メダル保持部４４ａを位置させないようにする。
【００８８】
このように、一対の側板４１ａ，４１ｂの間に払出メダル保持部４４ａが位置しないときは、払出口５２から払い出されたメダル３０はそのまま下方に流下し、投入口５３へと誘導される。
【００８９】
なお、図１４に示すように、本変更例では、遊技者が左側の側板４１ａに設けられたメダル支持部４４を回動させることにより、側板４１ａ，４１ｂの間又は側板４１ａの外側に払出メダル保持部４４ａを位置させているが、これに限定されるものではない。具体的には、右側の側板４１ｂに設けられた開口部４１にメダル支持部４４が回動可能に軸支されるようにする。これにより、遊技者は、右側の側板４１ｂに設けられたメダル支持部４４を回動させることにより、側板４１ａ，４１ｂの間又は側板４１ｂの外側に払出メダル保持部４４ａを位置させることができる。
【００９０】
【発明の効果】
以上説明したように本発明によれば、払出口から払い出されたメダルを遊技者の手に依らずに投入口に投入すること、又は払い出されたメダルを遊技者の手により投入口に投入することのいずれかを選択することができる。
【図面の簡単な説明】
【図１】本実施形態に係る遊技機及び遊技媒体貸出機の前面を示す正面図である。
【図２】本実施形態における遊技媒体貸出機を示す斜視図である。
【図３】本実施形態における支持部の前面及び側面を示す図である。
【図４】本実施形態における遊技媒体貸出機及びメダル払出処理機の動作原理を示す図である。
【図５】本実施形態における遊技媒体貸出機及びメダル払出処理機の動作原理を示す図である。
【図６】第一変更例に係る支持部を示す斜視図である。
【図７】第一変更例における固定部の機構例を示す断面図である。
【図８】第二変更例における支持部を示す斜視図である。
【図９】第二変更例における駆動制御部の内部構造を示す図である。
【図１０】第二変更例における傾斜角選択テーブルの内容を示す図である。
【図１１】第三変更例における支持部を示す斜視図である。
【図１２】第三変更例における支持部を上方から見たときの図である。
【図１３】第四変更例における支持部を示す斜視図である。
【図１４】第四変更例における支持部を上方から見たときの図である。
【符号の説明】
１０…遊技機、１０ａ…リール、１０ｂ…スタートレバー、１０ｃ…停止ボタン、２０…遊技媒体貸出機、３０…メダル、４０…メダル払出投入部、４１ａ，４１ｂ…側板、４１ｃ，４１ｄ…開口部、４２，４６…間隔保持部材、４３ａ，４３ｂ，４５ａ，４５ｂ，４５ｃ，４７ａ，４７ｂ，４８ｃ…固定部、４４…メダル支持部、４１ａ…払出メダル保持部、４１ｂ…誘導口、４８ａ…突起部、４８ｂ…穴部、４９…ガード部、５０…メダル払出処理機、５０ａ…ディスク、５０ｂ…受入部、５０ｃ…ガイド部材、５０ｄ…受入部、５１…面、５２…払出口、５３…投入口、５４…紙幣挿入口、５５…紙幣処理機、６０…駆動制御部、６１…選択ボタン、６２…選択ボタン、６３…ＣＰＵ、６４…ＲＯＭ、６５…ＲＡＭ、６６…選択可能ランプ、６７…駆動回路、４８１ｃ…球、４８２ｃ…バネ、４８３ｃ…凹部、４８４ｃ…受入部
【図１】
2005006670.tif 000003
【図２】
2005006670.tif 000004
【図３】
2005006670.tif 000005
【図４】
2005006670.tif 000006
【図５】
2005006670.tif 000007
【図６】
2005006670.tif 000008
【図７】
2005006670.tif 000009
【図８】
2005006670.tif 000010
【図９】
2005006670.tif 000011
【図１０】
2005006670.tif 000012
【図１１】
2005006670.tif 000013
【図１２】
2005006670.tif 000014
【図１３】
2005006670.tif 000015
【図１４】
2005006670.tif 000016